(57)【要約】      （修正有）【課題】地球温暖化防止のためＣＯ２削減対策の火力発電所を提供する。【解決手段】液化された石炭により作られたボイラ９、の中に送り込まれた二酸化炭素の気体をボイラ９、による熱によって高温高圧になし、ダクト、を通って熱交換器の中の蒸発器、にはイオン水製造装置１１、よりのイオン水が送りこまれていて高温ガスによって蒸気になる。えんとつ側ダクト、により使用済みＣＯ２ガスを地中又は海底に埋め込む技術により使用イオン水のラジカルと液化された石炭からのＣＯ２ガスの高温処理で処理時間の短縮が実現できる。【選択図】図１
0003154023.tif 000002
【実用新案登録請求の範囲】
【請求項１】
イオン水製造装置によるイオン水を蒸気にかえてタービンを回し発電機が回るしくみになっている火力発電所。
【請求項２】
液化された石炭等燃料によって作られボイラー炉の中に送りこまれた二酸化炭素の気体をボイラー炉による熱によって、高温高圧にし、ダクトを使って熱交換器の蒸発器で請求項１記載のイオン水を高温ガスにより蒸気に変える高温ガス化装置を具備した請求項１記載の火力発電所。
【請求項３】
使用済みの二酸化炭素の気体を地球温暖化ＣＯ２対策として地中や海底に埋め込む技術に導くえんとつを具備した請求項１記載の火力発電所。
【考案の詳細な説明】
【技術分野】
【０００１】
本考案は、従来の火力発電所としてのイオン水製造装置と液化石炭のガス化による地球温暖化ＣＯ２対策火力発電所に関する。
【背景技術】
【０００２】
海水を使って冷やして、重油、天然ガス、石炭などのエネルギーを利用して水を蒸気にかえ、タービンを回し、発電機が回るしくみの火力発電所です。
【考案の概要】
【考案が解決しようとする課題】
【０００３】
しかしながら、従来の火力発電所では、地球温暖化対策ＣＯ２対策の要求が世界的に強く起こっているという欠点があり、石炭が燃料に不向き。
【０００４】
本考案は、上記実情に鑑みてなされたものであり、燃料の代替エネルギーと発生するＣＯ２ガスの処理そして蒸気作り時間の短縮を目的としている。
【課題を解決するための手段】
【０００５】
上記目的を達成するため考案は、ハドソン研究所日高主席研究員による「液化石炭をガス化するように」（１２ｃｈＴＶ）で熱交換器の中の蒸発器にイオン水が送り込まれていて、液化石炭で作ったＣＯ２ガス（燃焼後のガス）を高温ガスにして蒸気作りとする処理手段を有することであり、次の構成を含むことを特徴としている。
イオン水製造装置によるイオン水とその予熱に使用する液化石炭で作ったＣＯ２ガスを代替エネルギーによるＣＯ２ガスとして追加した燃料によるＣＯ２ガスと熱交換器の中の蒸発器を構成し、使用済みのＣＯ２ガスを地下又は海底に埋める技術につなぐ構成である。
【考案の効果】
【０００６】
本考案により、ラジカルなイオン水とそれを蒸気にする高温ガスに追加した液化石炭による燃料あるいは予熱後のＣＯ２ガスが共に働き、使用済みのＣＯ２ガスの消去も地中に埋め込める。
【図面の簡単な説明】
【０００７】
【図１】本考案の火力発電所を示す図である。  火力発電所は、図１に示すように、海１、重油又は液化石炭タンク２、放水路３、送油（液化石炭）ポンプ４、重油（液化石炭）ポンプ５、集じん装置６、えんとつ（地下埋込み）７、重油（液化石炭）パイプ８、ボイラ９、蒸気パイプ１０、イオン水製造装置１１、給水パイプ１２、タービン１３、復水器１４、発電機１５、トランス１６、取水路１７、開閉設備１８、送電鉄塔１９
【図２】本考案の火力発電所の熱交換器の中の蒸発器の補助説明を示す図である。    図２に示すように、火力発電所の補助説明図（熱交換器の中の蒸発器）は給水パイプ２０、蒸発器２１、ダクト２２、蒸気パイプ２３、えんとつ側ダクト２４です。
【考案を実施するための形態】
【０００８】
本考案の実施の形態の一例について、図面を参照しながら説明する。
火力発電所は、図１、図２に示すようにイオン水製造装置１１、でイオン水として、液化石炭の燃焼と予熱で発生したＣＯ２ガスを高温高圧にして、ダクト２２、を使って熱交換器の中の蒸発器２１で、イオン水ゆえの蒸気化を処理時間を短縮して、代替エネルギー液化石炭のガス化により地球温暖化ＣＯ２削減対策まで地中又は海底埋め込みで果たすものである。。
【符号の説明】
【０００９】
１．      海                        １３．    タービン
２．      重油又は液化石炭タンク    １４．    復水器
３．      放水路                    １５．    発電機
４．      送油（液化石炭）ポンプ    １６．    トランス
５．      重油（液化石炭）ポンプ    １７．    取水路
６．      集じん装置                １８．    開閉設備
７．      えんとつ（地下埋込み）    １９．    送電鉄塔
８．      重油（液化石炭）パイプ    ２０．    給水パイプ
９．      ボイラ                    ２１．    蒸発器
１０．    蒸気パイプ                ２２．    ダクト
１１．    イオン水製造装置          ２３．    蒸気パイプ
１２．    給水パイプ                ２４．    えんとつ側ダクト
【図１】
0003154023.tif 000003
【図２】
0003154023.tif 000004
【手続補正書】
【提出日】平成21年3月12日(2009.3.12)
【手続補正１】
【補正対象書類名】明細書
【補正対象項目名】０００５
【補正方法】変更
【補正の内容】
【０００５】
上記目的を達成するため考案は、ハドソン研究所日高首席研究員による「第四世代原子力発電所のR＆Dの成果従来の流体水に代えたNaを使用する。」「液化石炭をガス化するように」（１２chＴＶ）で熱交換器の中の蒸発器にイオン水が送り込まれていて、液化石炭で作ったＣＯ２ガス（燃焼後のガス）を高温ガスにして蒸気作りとする処理手順を有することであり、次の構成を含むことを特徴としている。イオン水製造装置によるイオン水とその予熱に使用する液化石炭で作ったＣＯ２ガスを代替エネルギーによるＣＯ２ガスとして追加した燃料によるＣＯ２ガスと熱交換器の中の蒸発器を構成し、集じん装置、えんとつ、ダクトにより使用済みのＣＯ２ガスを地下又は海底に埋める技術装置のつなぎとする構成である。このえんとつのガス送出力にインクジェットプリンタのインク噴射の原理（電磁波噴射）を採用してＣＯ２ガス送りをするものであります。Na以外の媒体の検討にも役立ちます。
【手続補正２】
【補正対象書類名】実用新案登録請求の範囲
【補正対象項目名】全文
【補正方法】変更
【補正の内容】
【実用新案登録請求の範囲】
【請求項１】
第4世代の原子力発電R&Dの成果「Na採用の水溶液」作りとするイオン水を作るイオン水製造装置を具備する火力発電所。
【請求項２】
原子力発電所で成功しているボイラー炉の中に送り込まれた二酸化炭素の気体をボイラー炉による熱によって、高温高圧にし、ダクトを使って熱交換器の蒸発器を採用し、液化された石炭等燃料により請求項１記載のNaイオン水溶液を高温ガスによりNa蒸気に変える高温ガス化装置として具備した請求項１記載の火力発電所。
【請求項３】
使用済みの二酸化炭素の気体を地球温暖化ＣＯ２対策として地中や海底に埋め込む技術装置のつなぎとするインクジェットプリンタのインク噴射の原理を採用したえんとつを具備した請求項１記載の火力発電所。
【手続補正書】
【提出日】平成21年4月24日(2009.4.24)
【手続補正１】
【補正対象書類名】実用新案登録請求の範囲
【補正対象項目名】全文
【補正方法】変更
【補正の内容】
【実用新案登録請求の範囲】
【請求項１】
第４世代の原子力発電Ｒ＆Ｄの成果「Ｎａ採用の水溶液」そのメリットを火力発電所に採用するため市販のイオン水を作る水道水のイオン水製造装置をボイラー水系統に接続し運用する火力発電所用。
【請求項２】
茨城東海原子力発電所で成功しているボイラー炉の中に送り込まれた二酸化炭素の気体をボイラー炉による熱によって高温高圧にし、ダクトを使って熱交換器の蒸発器をそのまま火力発電所に採用し、液化された石炭等燃料によりＮａイオン水溶液を高温ガスによりＮａ蒸気に変える高温ガス化装置とした事を特徴とする請求項１記載の火力発電所。
【手続補正書】
【提出日】平成21年6月16日(2009.6.16)
【手続補正１】
【補正対象書類名】実用新案登録請求の範囲
【補正対象項目名】全文
【補正方法】変更
【補正の内容】
【実用新案登録請求の範囲】
【請求項１】
第４世代の原子力発電Ｒ＆Ｄの成果「水道水よりＮａ採用の水溶液」にメリット有りを火力発電所に採用してＮａ水溶液作りのための市販の水道水のイオン水製造装置をボイラー水系統に接続し運用する火力発電所用。
【請求項２】
茨城東海原子力発電所で成功しているボイラー炉の中に送り込まれた二酸化炭素の気体をボイラー炉による熱によって高温高圧にし、ダクトを使って熱交換器の蒸発器とした構成をそのまま火力発電所に採用し、Ｎａイオン水溶液を液化された石炭等の燃料による高温ガスによりＮａ蒸気に変える高温ガス化装置として具備した事を特徴とする請求項１記載の火力発電所。
【手続補正書】
【提出日】平成21年6月16日(2009.6.16)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
第４世代の原子力発電Ｒ＆Ｄの成果「水道水よりＮａ採用の水溶液」にメリット有りを火力発電所に採用してＮａ水溶液作りのための市販の水道水のイオン水製造装置をボイラー水系統に接続し運用する火力発電所。
【請求項２】
茨城東海原子力発電所で成功しているボイラー炉の中に送り込まれた二酸化炭素の気体をボイラー炉による熱によって高温高圧にし、ダクトを使って熱交換器の蒸発器とした構成をそのまま火力発電所に採用し、Ｎａイオン水溶液を液化された石炭等の燃料による高温ガスによりＮａ蒸気に変える高温ガス化装置として具備した事を特徴とする請求項１記載の火力発電所。
【手続補正書】
【提出日】平成21年8月14日(2009.8.14)
【手続補正１】
【補正対象書類名】図面
【補正対象項目名】図１
【補正方法】変更
【補正の内容】
【図１】
0003154023.tif 000005